(57)【特許請求の範囲】
【請求項１】
添加剤自動投入装置と、液体添加剤を入れる添加剤ケースとを含む、添加剤を自動投入する洗濯機であって、前記添加剤ケースが独立した密封のインクカートリッジ式構造であり、前記洗濯機の筐体に複数の開口が設けられ、前記添加剤ケースが１つ１つ対応して前記開口内に引出可能に設置され、前記添加剤自動投入装置と連通／遮断され、
前記添加剤自動投入装置は、洗濯機取水管路上に位置する負圧発生器を含み、前記負圧発生器の負圧領域が、ブレードの回転角度を測定して液体の通過量を計算する計量装置とつながり、前記負圧発生器に送出液循環通路がさらに設けられ、前記計量装置がさらにインクカートリッジ式構造の前記添加剤ケースの第１開口と、前記負圧発生器の前記送出液循環通路とそれぞれつながり、
前記送出液循環通路の第１端部は前記負圧発生器に接続され、前記送出液循環通路の第２端部は前記計量装置と接続され、
前記負圧発生器内の水流の一部が前記送出液循環通路を介して前記計量装置に流入し、前記計量装置内の添加剤が水で希釈されること、を特徴とする洗濯機。
【請求項２】
前記洗濯機に少なくとも２つの前記開口が設けられ、第１の開口内に、液体添加剤を入れる前記添加剤ケースが設けられ、第２の開口内に、固体洗剤を入れる粉末洗剤ケースが設けられることを特徴とする、請求項１に記載の添加剤を自動投入する洗濯機。
【請求項３】
前記洗濯機に受台が設けられ、前記受台に前記添加剤ケース用の複数の前記開口が設けられ、複数の前記開口が独立した空洞であるか、または複数の前記開口は内部がつながった空洞であり、前記開口内に前記添加剤ケースの定位スライドレールが設けられることを特徴とする、請求項１または２に記載の添加剤を自動投入する洗濯機。
【請求項４】
前記受台に少なくとも１つの粉末洗剤ケース用の開口がさらに設けられ、前記粉末洗剤ケース用の開口の上部が前記洗濯機の取水口とつながり、前記粉末洗剤ケース用の開口の下部に洗濯槽とつながる出水口が設置され、前記粉末洗剤ケース用の開口が独立した密封空洞であり、前記添加剤ケース用の前記開口と隔てられることを特徴とする、請求項３に記載の添加剤を自動投入する洗濯機。
【請求項５】
前記受台の前記開口が設けられる一側に装飾遮蔽板が設けられ、前記装飾遮蔽板の１つの辺が前記洗濯機および／または前記受台とヒンジ連結されるか、または装飾カバープレートが前記洗濯機および／または前記受台と引出式に接続されることを特徴とする、請求項３または４に記載の添加剤を自動投入する洗濯機。
【請求項６】
前記洗濯機にさらに添加剤残量警告装置が設置され、前記添加剤ケースにレベル検出装置が設けられ、前記レベル検出装置が、検出したレベル信号に基づいて前記添加剤残量警告装置が警報を発するように制御し、前記添加剤残量警告装置が添加剤残量表示灯および／またはブザーであることを特徴とする、請求項１に記載の添加剤を自動投入する洗濯機。
【請求項７】
前記添加剤ケースに液出口が設けられ、前記液出口に圧力開閉バルブが設けられ、前記開口内にプッシュオープンスイッチが設けられ、前記添加剤ケースが前記開口の内部まで完全に押されると、前記圧力開閉バルブが開き、前記液出口が前記添加剤自動投入装置とつながり、さらに力を入れて前記添加剤ケースを押さえると、前記添加剤ケースが一定幅弾き出て、前記圧力開閉バルブが閉じ、前記添加剤ケースを前記開口から引き出すことができることを特徴とする、請求項１に記載の添加剤を自動投入する洗濯機。
【請求項８】
前記液出口が添加剤ケースの前記開口に向いた端面に位置し、また前記端面の底部に位置し、前記液出口に添加剤の流出だけを行うチェックバルブが設置され、前記チェックバルブに、液体洗剤を流出させるかどうかを制御するパッキンが設けられ、前記開口内の前記パッキンに対応する位置部分に、前記パッキンの運動を制御して、液体洗剤を前記添加剤ケースから流出させることができる制御モジュールが設けられ、前記制御モジュールが電磁モジュールと、前記電磁モジュールに接続されるピストンロッドとを含み、前記ピストンロッドのもう一端が前記パッキンに位置し、前記電磁モジュールが前記ピストンロッドを運動させ、前記パッキンを運動させて前記チェックバルブの開閉を制御することを特徴とする、請求項７に記載の添加剤を自動投入する洗濯機。
【請求項９】
前記開口は前記洗濯機の側壁に位置し、前記添加剤ケースが水平に設置されるか、または前記開口の内側は低く、外側は高く、前記添加剤ケースが傾斜するように設置されるか、または前記開口は前記洗濯機の上面に位置し、前記添加剤ケースが垂直に設置されることを特徴とする、請求項１に記載の添加剤を自動投入する洗濯機。
【請求項１０】
前記計量装置が液体通過空洞と、前記液体通過空洞につながる少なくとも２つの入口および少なくとも１つの出口と、前記液体通過空洞内に設けられる回転可能なブレードと、前記液体通過空洞の外部に設けられる、前記ブレードの回転角度を検出するカウントセンサと、を含み、前記ブレードの回転角度を測定することにより液体の通過量を計算し、前記少なくとも２つの入口の１つの入口はインクカートリッジ式構造の前記添加剤ケースの液出口とつながり、前記少なくとも２つの入口のもう１つの入口は前記送出液循環通路とつながり、前記出口が洗濯槽とつながることを特徴とする、請求項１に記載の添加剤を自動投入する洗濯機。
【請求項１１】
前記洗濯機が起動すると、主制御盤がプログラムに基づいて、投入する必要がある添加剤を判断し、液体添加剤である場合、前記液体添加剤を入れた前記添加剤ケースに対応する電磁モジュールの通電を制御して、対応するピストンロッドにパッキンを押し出させ、パッキンの周囲に隙間が生じ、前記洗濯機の取水時に生じる負圧を利用して前記液体添加剤を吸引し、前記添加剤ケース内の前記液体添加剤を使用し終えた後、前記添加剤ケースを押さえると、前記添加剤ケースが弾き出て、前記添加剤ケースが前記開口から引き出され、チェックバルブおよびパッキンを取り外して、その内部に対応する液体添加剤を注入してから、前記添加剤ケースを対応する前記開口に挿入するか、またはユーザはこのタイプの添加剤ケースを直接購入することができ、チェックバルブおよびパッキンを上面に取り付け、その後対応する前記開口に挿入することを特徴とする、請求項１〜１０のいずれか１項に記載の洗濯機の添加剤を自動投入する方法。
【発明の詳細な説明】
【技術分野】
【０００１】
本発明は洗濯機分野に関し、特に添加剤を自動投入する洗濯機および方法である。
【背景技術】
【０００２】
洗濯機の機能の多様化、スマート化は発展し続けており、洗剤を投入する操作の利便性および投入精度について、次第に高い要求が示されている。操作の利便性の面で、市場にはすでに複数回の洗濯に用いる多量の洗濯用液体洗剤を一括して入れておくスマート投入洗濯機が出現しており、使用者の操作における煩わしさは、ある程度減少している。しかし、ユーザは依然として市場で袋入り、ボトル入りなどの包装形態が統一されていない洗濯用液体洗剤を購入して、洗濯機に固有の洗剤保存タンクに適量の洗剤を投入する必要がある。言い換えると、１瓶または１袋の洗濯用液体洗剤は依然として複数回投入する必要がある。
【０００３】
洗剤の投入精度は、主にその投入方式に反映されており、市場にすでにある洗剤投入方式は吸引ポンプ方式、歯車ポンプ押出方式および定容法による計量方式がある。添加剤が凝固して詰まる問題のため、ポンプの動力により洗剤を投入する方式は、ハイエンド商品市場ですでに少なくなっている。定容法による計量投入方式は、現在比較的流行している洗剤投入の制御方式であるが、一定の欠陥も存在する。
【０００４】
図１に示すように、まず、水道水は第１取水バルブ２５を通過して負圧発生器１３に流入し、負圧が生じる。これにより第２電磁バルブ２４が開き、定容空洞２６内にも負圧が生じることにより、第１洗剤タンク２０中の液体洗剤が、負圧の作用下で定容空洞２６に満載するまで充填され、第１電磁バルブ２２が閉じる。その後、第２取水バルブ２３から取水され、定容空洞２６中の洗剤が希釈されて洗い流される。該構造は、定容空間を単位当たりの投入量とするスマート投入を実現することしかできず、投入精度はわずか±１５％〜±２０％前後であり、衣類の重量および汚濁度に基づいて正確に投入することができないことがわかる。この他、該構造は２つの取水バルブを必要とし、製造コストが増加し、組立効率が低下した。
【０００５】
この他、既存の洗剤のスマート投入構造は、さらに以下の欠点が存在する。（１）洗剤貯蔵タンクが専用の洗剤容器ではなく、密閉性が保証できず、長期の放置により変質することがある；（２）固定された機器では、その貯蔵タンクの構造および数量が確定されている。一般的に本洗いタンク、下洗いタンクおよび柔軟剤タンクを含み、消毒剤を使用する場合、消毒剤を柔軟剤タンクに投入する必要がある。このようにして、異なる洗剤の混合が極めて容易に起こり、洗剤の使用効果に影響を及ぼす。他に、同じタイプの異なるブランドの洗剤も同じ貯蔵タンクを使用する必要があり、洗剤の混同も引き起こされる；（３）既存のスマート化した投入における洗剤ケースは通常、専用の粉末洗剤投入ケースはない。すなわち、粉末洗剤を使用する場合、洗濯前に粉末洗剤を直接洗濯槽内の衣類上に入れる必要があり、衣類が損傷するだけでなく、溶解しにくい；（４）洗剤ケースを洗浄しにくい。
【０００６】
このことを考慮して、本発明を示す。
【発明の概要】
【発明が解決しようとする課題】
【０００７】
本発明の目的は既存技術の不足を克服し、添加剤を添加剤ケース内で長期に放置しても変質しにくく、固まりにくく、使用者が添加剤を添加する回数が減少して、添加剤投入の利便性が向上し；定容制御の段階を省き、添加剤投入の精度が向上して、添加剤の浪費が減少し；添加剤の粘度が高すぎるために、計量装置のブレードを回転させて計量を行うことができなくなるのを防止し、さらに添加剤が凝固して計量装置が詰まるのも防止し；異なるタイプの添加剤の混合による洗濯効果の不良を防止した、添加剤を自動投入する洗濯機を提供することである。
【０００８】
本発明のもう１つの目的は、上記洗濯機の添加剤を自動投入する方法を提供することである。
【課題を解決するための手段】
【０００９】
該目的を実現するため、本発明は以下の技術案を採用する。添加剤を自動投入する洗濯機は、添加剤自動投入装置と、液体添加剤を入れる添加剤ケースとを含み、前記添加剤ケースは独立した密封のインクカートリッジ式構造である。洗濯機の筐体に少なくとも１つの開口が設けられ、添加剤ケースは１つ１つ対応して開口内に引出可能に設置され、添加剤自動投入装置と連通／遮断される。
【００１０】
前記洗濯機に少なくとも２つの開口が設けられ、少なくとも１つの開口内に、液体添加剤を入れる添加剤ケースが設けられ、少なくとも１つの開口内に、固体洗剤を入れる粉末洗剤ケースが設けられる。好ましくは、洗濯機に、粉末洗剤を入れる１つの粉末洗剤ケースと、対応する開口とが設けられ、液体洗剤、柔軟剤、消毒液をそれぞれ入れる複数の添加剤ケースと、対応する開口とが設けられる。
【００１１】
前記洗濯機に受台が設けられ、受台に少なくとも１つの添加剤ケースの開口が設けられる。各開口は独立した空洞であるか、または複数の開口は内部がつながった空洞であり、開口内に添加剤ケースの定位スライドレールが設けられる。
【００１２】
前記受台に、少なくとも１つの粉末洗剤ケースの開口がさらに設けられる。該開口の上部は洗濯機の取水口とつながり、該開口の下部に洗濯槽とつながる出水口が設置される。粉末洗剤ケースの開口は独立した密封空洞であり、添加剤ケースの開口と隔てられる。
【００１３】
前記受台の開口が設けられる一側に装飾遮蔽板が設けられ、該装飾遮蔽板の１つの辺は洗濯機および／または受台とヒンジ連結されるか、または該装飾カバープレートは洗濯機および／または受台と引出式に接続される。
【００１４】
前記洗濯機にさらに添加剤残量警告装置が設置され、前記添加剤ケースにレベル検出装置が設けられる。レベル検出装置は、検出したレベル信号に基づいて警告装置が警報を発するように制御する。前記添加剤残量警告装置は、添加剤残量表示灯および／またはブザーである。
【００１５】
前記添加剤ケースに液出口が設けられ、液出口に圧力開閉バルブが設けられ、開口内にプッシュオープンスイッチが設けられる。添加剤ケースが開口内部まで完全に押されると、圧力開閉バルブが開き、液出口は添加剤自動投入装置とつながる。さらに力を入れて添加剤ケースを押さえると、添加剤ケースは一定幅弾き出て、圧力開閉バルブが閉じ、添加剤ケースを開口から引き出すことができる。
【００１６】
前記液出口は添加剤ケースの開口に向いた端面に位置し、また該端面の底部に位置し、前記液出口に添加剤の流出だけを行うチェックバルブが設置され、該前記チェックバルブに、液体洗剤を流出させるかどうかを制御するパッキンが設けられる。前記開口内のパッキンに対応する位置部分に、パッキンの運動を制御して、液体洗剤を添加剤ケースから流出させることができる制御モジュールが設けられる。該制御モジュールは電磁モジュールと、電磁モジュールに接続されるピストンロッドとを含み、ピストンロッドのもう一端はパッキンに位置する。前記電磁モジュールがピストンロッドを運動させ、パッキンを運動させてチェックバルブの開閉を制御する。
【００１７】
前記開口は洗濯機の側壁に位置し、添加剤ケースは水平に設置される。または開口の内側は低く、外側は高く、添加剤ケースは傾斜するように設置される。または開口は洗濯機の上面に位置し、添加剤ケースは垂直に設置される。
【００１８】
前記添加剤自動投入装置は、取水水流により生じる負圧を利用して、液体添加剤を吸引し、定量投入する装置であり、該装置は洗濯機取水管路上に位置する負圧発生器を含む。前記負圧発生器の負圧領域は計量装置とつながり、前記負圧発生器に送出液循環通路がさらに設けられる。前記計量装置はさらに、インクカートリッジ式添加剤ケースの第１開口と、負圧発生器の送出液循環通路とそれぞれつながる。
【００１９】
前記計量装置は液体通過空洞と、液体通過空洞につながる少なくとも２つの入口および少なくとも１つの出口と、液体通過空洞内に設けられる回転可能なブレードと、液体通過空洞の外部に設けられるブレードの回転角度を検出するカウントセンサと、を含む。ブレードの回転角度を測定することにより、液体の通過量を計算する。前記少なくとも２つのうちの１つの入口は、インクカートリッジ式添加剤ケースの液出口とつながり、もう１つの入口は送出液循環通路とつながり、前記出口は洗濯槽とつながる。
【００２０】
上記洗濯機の添加剤を自動投入する方法において、洗濯機が起動すると、主制御盤がプログラムに基づいて投入する必要がある添加剤を判断する。液体添加剤である場合、該液体添加剤を入れた添加剤ケースに対応する電磁モジュールの通電を制御して、対応するピストンロッドにパッキンを押し出させる。パッキンの周囲に隙間が生じ、洗濯機の取水時に生じる負圧を利用して添加剤を吸引する。添加剤ケース内の添加剤を使用し終えた後、添加剤ケースを押さえると、添加剤ケースが弾き出て、添加剤ケースが開口から引き出される。チェックバルブおよびパッキンを取り外して、その内部に対応する添加剤を注入してから、添加剤ケースを対応する開口に挿入する。またはユーザはこのタイプの添加剤ケースを直接購入することができ、チェックバルブおよびパッキンを上面に取り付け、その後対応する開口に挿入する。
【発明の効果】
【００２１】
本発明の前記技術案を採用すると、以下の有益な効果がもたらされる。
１．本発明の前記洗濯機は密封式の添加剤ケースを採用しており、添加剤を内部に長期に放置しても変質しにくく、固まりにくい。分離可能な添加剤ケースを採用し、添加剤ケースを取り出すことができ、添加剤ケース内に添加剤を一括して添加し、使用者が添加剤を添加する回数を減少させる。または添加剤ケース全体を交換し、交換が便利であり、添加剤投入の利便性が向上した。
【００２２】
２．負圧式による添加剤の吸引を採用し、計量装置を設置しており、添加剤の投入精度が大幅に向上した。負圧の作用により計量装置を流れる添加剤の希釈液を計量して、添加剤の使用量を制御する。定容制御の段階が省かれ、添加剤の使用量を投入する精度が大幅に上昇して±５％に達し、添加剤の浪費が減少する。
【００２３】
３．計量装置内に添加剤を吸引するのと同時に、きれいな水または混合液を吸入して添加剤を希釈し、添加剤の粘度が高すぎるために、計量装置のブレードを回転させて計量することができなくなるのを防止する。さらに、添加剤の凝固により計量装置が詰まるのも防止する。
【００２４】
４．複数の液体添加剤ケースに異なるタイプの添加剤をそれぞれ入れ、異なるタイプの添加剤の混合による、洗浄効果の不良を防止する。
【００２５】
５．添加剤が投入量に達すると、続けて内部にきれいな水を吸入して計量装置を洗い流す。添加剤が凝固して計量装置が詰まるのを防止すると同時に、継続時間中に生じる負圧により計量装置内の希釈液の吸引を完了した後、残存するのを防止することができる。
【００２６】
以下、図を組み合わせて、本発明の具体的実施方式についてさらに詳細に説明する。
【図面の簡単な説明】
【００２７】
【図１】図１は、既存技術における定容による投入の概要図である。
【図２】図２は、本発明の洗濯機の構造図である。
【図３】図３は、本発明の洗濯機における装飾遮蔽板を除去した後の構造分解図である。
【図４】図４は、本発明の受台の構造概要図である。
【図５】図５は、本発明の投入システムの構造断面図である。
【図６】図６は、本発明の添加剤ケースの構造概要図である。
【発明を実施するための形態】
【実施例】
【００２８】
図２、図３に示すように、本発明の前記添加剤を自動投入する洗濯機は、添加剤自動投入装置と、液体添加剤を入れる添加剤ケース２とを含み、前記添加剤ケースは独立した密封のインクカートリッジ式構造である。洗濯機の筐体に少なくとも１つの開口１が設けられ、添加剤ケース２は一つ一つ対応して、開口１内に引出可能に設置され、添加剤自動投入装置と連通／遮断される。
【００２９】
好ましくは、前記添加剤ケース２は、規則的な柱体の空洞であり、液出口３が設けられる。添加剤ケース２はプッシュオープン式であり、液出口３に圧力開閉バルブが設けられ、開口１内にプッシュオープンスイッチが設けられる。添加剤ケース２が開口内部まで完全に押されると、圧力開閉バルブが開き、液出口は添加剤自動投入装置とつながる。さらに力を入れて添加剤ケース２を押さえると、添加剤ケース２は一定幅弾き出て、圧力開閉バルブが閉じ、添加剤ケース２を開口から引き出すことができる。添加剤ケース２の開口への挿入は、内側に添加剤ケース２を押さえると、添加剤ケース２がロックされ、再度添加剤ケース２を押さえると弾き出される。使用するとき、添加剤ケース２内に一括して液体添加剤を入れ、添加剤ケース２を開口１の内部まで押さえる。添加剤を添加する必要があるとき、洗濯機が相応する添加剤ケース２から添加剤を吸引して溶解した後、洗濯槽に進入させる。添加剤ケース２内の添加剤を使用し終えると、添加剤ケースを取り出すことができ、添加剤ケース内に添加剤を一括して添加し、使用者が添加剤を添加する回数を減少させる。または添加剤ケース全体を交換し、交換が便利である。添加剤ケース２は密封のケースであるため、添加剤を内部に長期に放置しても変質しにくく、固まりにくい。
【００３０】
図６に示すように、前記液出口３は添加剤ケース２の開口に向いた端面に位置し、また該端面の底部に位置し、添加剤ケース２内の添加剤を完全に流出させて使用することを保証することができる。前記液出口３にチェックバルブ８が設置され、該チェックバルブ８は添加剤の単一方向の流出を制御する。チェックバルブ８に液体洗剤を流出させるかどうかを制御するパッキン９が設けられ、添加剤を必要としないとき、該パッキン９はチェックバルブを密封し、内部の添加剤を外部の空気から隔てることを保証する。
【００３１】
開口１内のパッキン９に対応する位置部分に、パッキン９の運動を制御して液体洗剤を添加剤ケース２から流出させることができる制御モジュールが設けられる。該制御モジュールは電磁モジュール１１と、電磁モジュール１１に接続されるピストンロッド１０とを含み、ピストンロッド１０のもう一端はパッキン９に位置する。前記電磁モジュール１１はピストンロッドを運動させ、パッキン９を運動させて、チェックバルブ８の開閉を制御する。電磁モジュール１１が通電して、対応するピストンロッド１０にパッキン９を押し出させ、パッキン９の周囲に隙間が生じ、内部の添加剤は隙間を通過して流出することができる。または電磁バルブを設置して、添加剤ケース２と計量装置１４との間の管路の導通を制御することができる。
【００３２】
洗濯機に少なくとも２つの開口１が設けられ、少なくとも１つの開口１内に添加剤ケース２が設けられ、少なくとも１つの開口１内に固体洗剤を入れる粉末洗剤ケース４が設けられる。ユーザが粉末洗剤を使用して洗濯するとき、粉末洗剤ケース４内に粉末洗剤を入れることができる。粉末洗剤洗濯モードが起動され、洗濯機取水管路１２から洗濯槽に注水されるとき、水道水が洗い流すことにより、粉末洗剤を充分に溶解して洗濯槽に均等に入れることができ、粉末洗剤を直接衣類上に投入して、衣類が痛むのを防止する。
【００３３】
洗濯機に、粉末洗剤を入れる１つの粉末洗剤ケース４と、対応する粉末洗剤ケースの開口１９とを設けることができる。洗濯機に、粉末洗剤を入れる複数の粉末洗剤ケース４と、対応する粉末洗剤ケースの開口１９とを設けることもでき、本洗い、下洗いまたはその他のプラグラムを実行するときに使用する粉末洗剤をそれぞれ入れる。それと同時に、洗濯機に液体洗剤、柔軟剤、消毒液をそれぞれ入れる複数の添加剤ケース２と、対応する添加剤ケースの開口１８とをさらに設けることができる。一度の添加で複数回使用し、洗濯するごとに、内部に添加剤を入れる必要はない。また、各種異なる添加剤をそれぞれ異なる添加剤ケース２内に入れ、複数種の添加剤で１つの添加剤ケースを共用して、添加剤が混合し、効果に影響を及ぼすのを防止する。
【００３４】
図４に示すように、洗濯機に受台５が設けられ、受台に添加剤ケース２を据える開口１が設けられる。各開口１は独立した空洞であるか、または複数の開口１は内部がつながった空洞であり、開口１内に添加剤ケース２の定位スライドレールが設けられる。前記開口１は並行で、相互に独立した複数の空洞でよく、各空洞は相互に通じておらず、その内部に、添加剤ケース２の液出口と対応する送液口がそれぞれ設けられる。あるいは複数の開口１は、最も外側は相互に独立した開口１であり、その内部は相互に通じている。さらにあるいは受台５に１つの大きな開口１のみが設けられ、開口１の内部に複数組の定位スライドレールが設けられ、複数の添加剤ケース２が対応して定位スライドレールで引き出される。
【００３５】
受台５に少なくとも１つの粉末洗剤ケースの開口１９がさらに設けられ、該開口の上部は洗濯機の取水口１５とつながり、該開口の下部に洗濯槽とつながる出水口１６が設置される。粉末洗剤ケースの開口は独立した密封空洞であり、据え置きケース式添加剤ケースの開口１８と隔てられる。直接取水口１５から進入する水流は、内部の粉末洗剤を洗い流して溶解し、その後出水口１６を通過して洗濯槽に進入する。添加剤ケースの開口１８と隔てられており、粉末洗剤溶液が添加剤ケースの開口１８内の空洞に進入するのを防止することができる。
【００３６】
受台５の開口１および添加剤ケース２が洗濯機の外部に露出するのを防止するため、受台５の開口１が設けられる一側に装飾遮蔽板６が設けられ、該装飾遮蔽板６のうちの１つの辺は洗濯機および／または受台５とヒンジ連結される。開口１内の添加剤ケース２または粉末洗剤ケース４を操作する必要があるとき、装飾遮蔽板６を上または下または一側に向かって回転軸を中心にして回転させ、これにより開口が露出する。あるいは、該装飾遮蔽板６は洗濯機および／または受台５と引出式に接続され、開口１内の添加剤ケース２または粉末洗剤ケース４を操作する必要があるとき、装飾遮蔽板６を一側に向かって押し開くことにより、開口１が露出する。
【００３７】
洗濯機に添加剤残量警告装置がさらに設置され、前記添加剤ケースにレベル検出装置が設けられる。レベル検出装置は主制御盤と信号接続され、主制御盤は添加剤残量警告装置と信号接続され、レベル検出装置は検出したレベル信号に基づいて、警告装置が警報を発するように制御する。前記添加剤残量警告装置は、添加剤残量表示灯７および／またはブザーである。前記レベル検出装置は光電センサまたはレベルセンサでよく、添加剤の残量が比較的少ないことを検出したとき、主制御盤に信号を送信し、主制御盤は添加剤残量表示灯および／またはブザーに信号を送信し、音、光の警報を発するように制御して、速やかに添加剤を添加する、または速やかに添加剤ケース２を交換することをユーザに知らせる。
【００３８】
開口１は洗濯機のフロントパネル３１に位置し、洗濯槽の左上方または右上方に位置することができ、添加剤ケース２は洗濯機の前側（ドア体側）に向かって引き出すことができる。添加剤ケース２は水平に設置され、添加剤ケース２内の添加剤の液面も水平である。添加剤ケース２は透明の材質で製造され、ユーザも内部の添加剤の多少を直接見て明確に観察できる。または開口１の内側は低く、外側は高く、添加剤ケースの内部が下に傾斜するように設置され、このように内部の添加剤の残量が比較的少ないとき、最下面の角に集めることを保証することができる。液出口３はちょうどこの位置に位置するため、内部の添加剤を充分に利用することができ、残存するのを防止する。
【００３９】
あるいは、開口１は洗濯機の上面３２に位置する。添加剤ケース２は垂直に設置され、上に引き出すことができ、液出口３は添加剤ケース２の最下部に位置する。
【００４０】
添加剤自動投入装置は任意の形式の投入装置でよく、好ましくは、洗剤自動投入装置は、取水水流により生じる負圧を利用して、液体添加剤を吸引し、定量投入する装置である。図５に示すように、洗濯機は洗濯機取水管路上に位置する負圧発生器１３をさらに含み、前記負圧発生器１３の負圧領域は計量装置１４とつながり、前記負圧発生器１３に送出液循環通路１７がさらに設けられる。前記計量装置１４はさらに、添加剤ケース２の液出口３と、負圧発生器１３の送出液循環通路１７とそれぞれつながる。負圧発生器１３は添加剤ケース２内の添加剤を計量装置１４に吸引し、それと同時に負圧発生器１３内の水流の一部は送出液循環通路１７を通過して計量装置１４に進入する。添加剤および水流は計量装置１４内で混合されて添加剤混合液を形成し、負圧発生器１３に流入して、さらに洗濯機取水管路１２を通り、洗濯槽に進入する。
【００４１】
前記計量装置１４は液体通過空洞と、液体通過空洞につながる少なくとも２つの入口および少なくとも１つの出口と、液体通過空洞内に設けられる回転可能なブレードと、液体通過空洞の外部に設けられるブレードの回転角度を検出するカウントセンサと、を含む。ブレードの回転角度を測定することにより、液体の通過量を計算する。前記少なくとも２つのうちの１つの入口は、添加剤ケース２の出口とつながり、もう１つの入口は送出液循環通路１７とつながり、前記出口は洗濯槽とつながる。
【００４２】
添加剤を自動投入する方法において、洗濯機が起動すると、主制御盤がプログラムに基づいて投入する必要がある添加剤を判断する。粉末洗剤の洗濯モードである場合、水道水が洗濯機取水管路１２を通過して取水口１５から進入し、水流が内部の粉末洗剤を洗い流して溶解し、その後出水口１６を通り洗濯槽に進入する。添加剤洗濯モードである場合、該添加剤を入れた添加剤ケース２に対応する電磁モジュール１１の通電を制御して、対応するピストンロッド１０にパッキン９を押し出させる。パッキン９の周囲に隙間が生じ、同時に洗濯機取水管路１２から洗濯槽に取水し、水流が負圧発生器１３を通過するときに生じる負圧を利用して、添加剤ケース２内の添加剤を計量装置１４まで吸引し、それと同時に負圧発生器１３内の水流の一部は送出液循環通路１７を通過して計量装置１４に進入する。添加剤および水流は計量装置１４内で混合されて添加剤混合液を形成し、負圧発生器１３に流入して、さらに洗濯機取水管路１２を通り、洗濯槽に進入する。添加剤の粘度が高すぎるために計量装置１４のブレードを回転させて計量を行うことができなくなるのを防止し、さらに添加剤が凝固して計量装置１４が詰まるのも防止する。定容制御の段階が省かれ、添加剤の使用量を投入する精度が大幅に上昇して±５％に達し、添加剤の浪費が減少する。
【００４３】
液体通過空洞の外部にブレードの回転角度を検出するカウントセンサを設けることにより、ブレードの回転角度を検出して添加剤混合液の通過量を計算する。添加剤が投入量に達すると、電磁モジュール１１の通電を切るように制御する。ピストンロッド１０が元の位置に戻り、パッキン９はチェックバルブ８を密封する。このとき添加剤は計量装置１４に吸入されず、負圧発生器１３内の水流は送出液循環通路１７を通過して、引き続き計量装置１４に流入する。計量装置１４を洗浄し、添加剤が凝固して計量装置１４が詰まるのを防止し、さらに継続時間中に生じる負圧により、計量装置１４内の希釈液の吸引を完了し、残存するのを防止することができる。
【００４４】
添加剤ケース２内の添加剤を使用し終えると、添加剤ケース２を開口から引き出し、チェックバルブ８およびパッキン９を取り外して、その内部に対応する添加剤を注入してから、添加剤ケース２を対応する開口１に挿入する。またはユーザはこのタイプの添加剤ケース２を直接購入することができ、チェックバルブ８およびパッキン９を上面に取り付け、その後対応する開口１に挿入する。
【００４５】
以上の記載は本発明の好ましい実施方式に過ぎない。当業者は本発明の原理を逸脱しない前提の下、複数の変形および改良を行うこともできるが、これも本発明の保護範囲と見なすべきであると指摘しなければならない。
【符号の説明】
【００４６】
１  開口
２  添加剤ケース
３  液出口
４  粉末洗剤ケース
５  受台
６  装飾遮蔽板
７  添加剤残量表示灯
８  チェックバルブ
９  パッキン
１０  ピストンロッド
１１  電磁モジュール
１２  洗濯機取水管路
１３  負圧発生器
１４  計量装置
１５  取水口
１６  出水口
１７  送出液循環通路
１８  添加剤ケースの開口
１９  粉末洗剤ケースの開口
２０  第１洗剤タンク
２１  第２洗剤タンク
２２  第１電磁バルブ
２３  第１取水バルブ
２４  第２電磁バルブ
２５  第２取水バルブ
２６  定容空洞
３１  フロントパネル
３２  上面
３３  プログラム洗濯つまみ
【図１】
0006617883.tif 000002
【図２】
0006617883.tif 000003
【図３】
0006617883.tif 000004
【図４】
0006617883.tif 000005
【図５】
0006617883.tif 000006
【図６】
0006617883.tif 000007